(57)【要約】【課題】縁石と車道舗装及び歩道舗装との間並びに縁石と縁石の間からの草の発芽及び生長を防止する。【解決手段】両端に小口11,111を有し長手方向に延在する縁石10,110における防草構造であって、前記縁石10,110における車道舗装及び歩道舗装との境界面を形成する両方の側面12,112,13,113上に、長手方向に沿って両端間に貼着された所定の幅及び厚さをもつ発泡ゴムシール部材21,22,121,122を有する。または、縁石10,110の一方の前記小口11,111の面を覆うように貼着された所定の厚さをもつ発泡ゴムシール部材23,123を有する。施工方法は、縁石10,110を設置する工程と、縁石10,110における車道舗装及び歩道舗装との境界面を形成する両方の側面12,112,13,113上に、長手方向に沿って、所定の幅及び厚さをもつ発泡ゴムシール部材21,22,121,122を両端間に貼着する工程と、を有する。【選択図】図３
2014177828.tif 000002
【特許請求の範囲】
【請求項１】
両端に小口（11,111）を有し長手方向に延在する縁石（10,110）の防草構造であって、前記縁石（10,110）の車道舗装側の側面（12,112）及び歩道舗装側の側面（13,113）の各々における舗装により覆われる部分に、長手方向に沿って、所定の幅（W）及び厚さ（T）をもつ発泡ゴムシール部材（21,22,121,122）がそれぞれ貼着されていることを特徴とする、
縁石における防草構造。
【請求項２】
前記縁石（10）の車道舗装側の側面（12）が傾斜面を有し、歩道舗装側の側面（13）が垂直面である場合、前記発泡ゴムシール部材（21,22）が、前記車道舗装側の側面（12）の下端近傍と、前記歩道舗装側の側面（13）の上端近傍にそれぞれ貼着されていることを特徴とする、
請求項１に記載の縁石における防草構造。
【請求項３】
前記縁石（110）の車道舗装側の側面（112）及び歩道舗装側の側面（113）の各々が傾斜面である場合、前記発泡ゴムシール部材（21,22）が、両方の前記側面（112,113）の下端近傍にそれぞれ貼着されていることを特徴とする、
請求項１に記載の縁石における防草構造。
【請求項４】
前記縁石（10,110）の一方の前記小口（11,111）の面を覆うように、所定の厚さをもつ別の発泡ゴムシール部材（23,123）が貼着されていることを特徴とする、
請求項１〜３のいずれかに記載の縁石における防草構造。
【請求項５】
両端に小口（11,111）を有し長手方向に延在する縁石（10,110）の防草構造であって、前記縁石（10,110）の一方の前記小口（11,111）の面を覆うように、所定の厚さをもつ発泡ゴムシール部材（23,123）が貼着されていることを特徴とする、
縁石における防草構造。
【請求項６】
両端に小口（11,111）を有し長手方向に延在する縁石（10,110）の防草構造の施工方法であって、
前記縁石（10,110）を設置する工程と、
前記縁石（10,110）の車道舗装側の側面（12,112）及び歩道舗装側の側面（13,113）の各々における舗装により覆われる部分に、長手方向に沿って、所定の幅（W）及び厚さ（T）をもつ発泡ゴムシール部材（21,22,121,122）をそれぞれ貼着する工程と、を有することを特徴とする
縁石における防草構造の施工方法。
【請求項７】
前記縁石（10,110）を設置する前に、前記縁石（10,110）の一方の前記小口（11,111）の面を覆うように所定の厚さをもつさらに別の発泡ゴムシール部材（23,123）を貼着する工程を有することを特徴とする、
請求項６に記載の縁石における防草構造の施工方法。
【請求項８】
両端に小口（11,111）を有し長手方向に延在する縁石（10,110）の防草構造の施工方法であって、
前記縁石（10,110）を設置する前に、前記縁石（10,110）の一方の前記小口（11,111）の面を覆うように所定の厚さをもつ発泡ゴムシール部材（23,123）を貼着する工程と、
前記縁石（10,110）を設置する工程と、を有することを特徴とする、
縁石における防草構造の施工方法。
【発明の詳細な説明】
【技術分野】
【０００１】
本発明は、縁石と舗装の間又は縁石と縁石の間における草の発芽及び生長を防止するための、縁石における防草構造及びその施工方法に関する。
【背景技術】
【０００２】
縁石と舗装の境界は、施工当初は隙間がなく密着している。また、縁石と縁石の間には、通常１ｃｍ程度のモルタルの目地材が充填されている。経年変化により、縁石と舗装の間、縁石と縁石の間に隙間が生じ、そこに雑草等の種子が入り込んで発芽し根を張って生長することがある。この結果、生長した雑草により美観が損なわれる上に、縁石と舗装の間や縁石と縁石の間の隙間が拡大し、構造物の劣化が進行することにもなる。これを防止するために、管理作業として定期的に除草を行っている。
【０００３】
また、特許文献１、２では、縁石と舗装の境界線を跨ぐように地表面に防草シートを貼着する防草構造を提案している。
【先行技術文献】
【特許文献】
【０００４】
【特許文献１】特開２００８−６９５２７号公報
【特許文献２】特開２００９−２４３４８号公報
【発明の概要】
【発明が解決しようとする課題】
【０００５】
従来の縁石及びその周囲の防草対策には、次のような問題点がある。
定期的に除草を行う対策では、作業の負担とコストが掛かる。また、地表面に防草シートを貼着する対策では、防草シートが剥離しないように多層の接着テープを必要とするので、作業が複雑となり材料コストも高くなる。また、防草シートにより地表面に凹凸が形成されてしまうため、縁石と舗装の地表面の連続的な平坦性が損なわれる上、美観的にもよくない。
【０００６】
本発明の目的は、人的環境に配慮して、縁石と舗装の間又は縁石と縁石の間における草の発芽と生長を低コストでかつ効果的に防止することができる防草構造及びその施工方法を提供することである。
【課題を解決するための手段】
【０００７】
上記の目的を達成するために、本発明は、以下の構成を提供する。なお、括弧内の数字は、後述する図面中の符号であり、参考のために付する。
【０００８】
本発明の一態様は、両端に小口（11,111）を有し長手方向に延在する縁石（10,110）の防草構造であって、前記縁石（10,110）の車道舗装側の側面（12,112）及び歩道舗装側の側面（13,113）の各々における舗装により覆われる部分に、長手方向に沿って、所定の幅（W）及び厚さ（T）をもつ発泡ゴムシール部材（21,22,121,122）がそれぞれ貼着されていることを特徴とする。
【０００９】
上記態様において、前記縁石（10）の車道舗装側の側面（12）が傾斜面を有し、歩道舗装側の側面（13）が垂直面である場合、前記発泡ゴムシール部材（21,22）が、前記車道舗装側の側面（12）の下端近傍と、前記歩道舗装側の側面（13）の上端近傍にそれぞれ貼着されていることが、好適である。
【００１０】
上記態様において、前記縁石（110）の車道舗装側の側面（112）及び歩道舗装側の側面（113）の各々が傾斜面を有する場合、前記発泡ゴムシール部材（21,22）が、両方の前記側面（112,113）の下端近傍にそれぞれ貼着されていることが、好適である。
【００１１】
上記態様において、前記縁石（10,110）の一方の前記小口（11,111）の面を覆うように、所定の厚さをもつ別の発泡ゴムシール部材（23,123）が貼着されていることが、好適である。
【００１２】
本発明の別の態様は、両端に小口（11,111）を有し長手方向に延在する縁石（10,110）の防草構造であって、前記縁石（10,110）の一方の前記小口（11,111）の面を覆うように、所定の厚さをもつ発泡ゴムシール部材（23,123）が貼着されていることを特徴とする。
【００１３】
本発明のさらに別の態様は、両端に小口（11,111）を有し長手方向に延在する縁石（10,110）の防草構造の施工方法であって、前記縁石（10,110）を設置する工程と、前記縁石（10,110）の車道舗装側の側面（12,112）及び歩道舗装側の側面（13,113）の各々における舗装により覆われる部分に、長手方向に沿って、所定の幅（W）及び厚さ（T）をもつ発泡ゴムシール部材（21,22,121,122）をそれぞれ貼着する工程と、を有することを特徴とする。
【００１４】
上記のさらに別の態様において、前記縁石（10,110）を設置する前に、前記縁石（10,110）の一方の前記小口（11,111）の面を覆うように所定の厚さをもつ別の発泡ゴムシール部材（23,123）を貼着する工程を有することが、好適である。
【００１５】
本発明のまたさらに別の態様は、両端に小口（11,111）を有し長手方向に延在する縁石（10,110）の防草構造の施工方法であって、前記縁石（10,110）を設置する前に、前記縁石（10,110）の一方の前記小口（11,111）の面を覆うように所定の厚さをもつ発泡ゴムシール部材（23,123）を貼着する工程と、前記縁石（10,110）を設置する工程と、を有することを特徴とする。
【発明の効果】
【００１６】
本発明による縁石における防草構造及びその施工方法によれば、縁石の両方の側面に長手方向に沿って、あるいは、縁石の一方の小口を覆うように、発泡ゴムシール部材を貼着する。縁石の設置及び舗装が完了したとき、発泡ゴムシール部材は、縁石と舗装の間又は縁石と縁石の間において弾性的に圧縮された状態となるため、経年変化によりこれらの隙間が若干拡大したとしても、隙間を閉塞した状態に維持することができる。これにより、雑草等の種子が隙間に入り込むことを防止できる。
【００１７】
また、発泡ゴムシール部材は、気泡内に発芽した芽や生長した根が入り込んだとき、気泡孔に阻まれて芽や根が外部に伸びて行き難い。これにより、草の生長を抑制する効果が得られる。
【００１８】
また、縁石と舗装の間及び縁石と縁石の間に貼着される発泡ゴムシール部材は、舗装や縁石の表面から突出することなく配置されるので、従来の防草シートにおけるような地表面の凹凸がなく、安全上も好ましい。また、発泡ゴムシール部材は両面から押されて圧縮された状態に維持されるため、従来の防草シートのように剥がれる可能性がない。さらに、外観上も好ましい。
【００１９】
本発明によれば、従来の定期的な除草作業が不要となり又は軽減されるため、作業の負担及びコストが低減される。
【００２０】
また、従来は縁石と縁石の間に充填していたモルタルに替えて発泡ゴムシール部材を貼着したため、モルタルを目地材として充填する作業が不要となり作業効率が向上することに加え、材料コストも削減される。さらに、モルタルに比べて経年による収縮割れや劣化も低減できる。
【００２１】
縁石と舗装の間及び縁石と縁石の間の草の発生を抑制できるので、これらの構造物の経年劣化を軽減することができる。
【図面の簡単な説明】
【００２２】
【図１】図１は、本発明による縁石の防草構造の第１実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図、（ｆ）は発泡ゴムシール部材の拡大断面図である。
【図２】図２は、本発明による縁石の防草構造の第２実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図である。
【図３】図３は、本発明による縁石の防草構造の第３実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図である。
【図４】図４（ａ）〜（ｄ）は、図３に示した第３実施形態の防草構造の施工方法の一例の各工程を概略的に示した図である。
【図５】図５は、本発明による縁石の防草構造の第４実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図である。
【図６】図６は、本発明による縁石の防草構造の第５実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図である。
【図７】図７は、本発明による縁石の防草構造の第６実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図である。
【図８】図８（ａ）〜（ｄ）は、図７に示した第６実施形態の防草構造の施工方法の一例の各工程を概略的に示した図である。
【図９】図９（ａ）（ｂ）は、縁石の設置方法を具体的に説明する概略側面図である。
【発明を実施するための形態】
【００２３】
以下、一実施例を示した図面を参照して本発明の実施の形態を説明する。なお、以下の各図に示した異なる実施形態において、共通する又は類似する構成要素については同じ符号を用いている。
【００２４】
図１は、本発明による縁石の防草構造の第１実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図、（ｆ）は発泡ゴムシール部材の拡大断面図である。
【００２５】
第１実施形態における縁石の防草構造１Ａは、縁石１０と、縁石１０に貼着された発泡ゴムシール部材２１、２２とを備えている。縁石１０は、両端に小口１１を有し長手方向に延在する。ここでは小口１１を縁石の正面とする。縁石１０の上面１４は平坦であり、下面１５には長手方向に沿った溝状の凹部が形成されている。
【００２６】
長手方向に沿って延在する一方の側面１２は、下方に向かって縁石が幅広となるように傾斜面を有し下端近傍にのみ垂直面を有する。後述する図４の施工工程図で示すように、傾斜面を有する側面１２は車道舗装側の側面であり、傾斜面の部分は舗装により覆われず露出し、下端近傍の垂直面の部分が舗装により覆われる。発泡ゴムシール部材２１は、側面１２の下端近傍の垂直面の部分において、長手方向に沿って縁石１０の両端間に貼着されている。
【００２７】
長手方向に沿って延在する反対側の他方の側面１３は、垂直面となっている。後述する図４の施工工程図で示すように、垂直面である側面１３は歩道舗装側の側面であり、垂直面の部分はその全体が舗装により覆われる。発泡ゴムシール部材２２は、側面１３の上端近傍の部分において、長手方向に沿って縁石１０の両端間に貼着されている。
【００２８】
発泡ゴムシール部材２１、２２は、図１（ｆ）の断面図に示すように、所定の幅Ｗと厚さＴを有する。幅Ｗと厚さＴは、施工条件により適宜選択する。発泡ゴムシール部材２１（２２についても同様）は、発泡ゴム本体２１ａと、片面上に形成された粘着材２１ｂの層とから構成される。粘着材２１ｂの層は、例えば、不織布等の適宜の基材に粘着剤を含浸させたものであり、発泡ゴム本体２１ａと一体化されている。粘着材２１ｂにより、容易に縁石１０の側面に貼着することができる。粘着材２１ｂの厚さは、発泡ゴム本体２１ａの厚さに比べて無視できる程度であり、発泡ゴムシール部材２１の厚さは、実質的には発泡ゴム本体２１ａの厚さといってよい。
【００２９】
寸法の一例として、縁石１０の高さ２５０mm、上面の幅２００mm、下面の幅２６０mm、長さ７９０mmのとき、発泡ゴムシール部材２１、２２の幅Ｗ１５〜２５mm、厚さＴ１５〜２５mmとする。但し、縁石及び発泡ゴムシール部材の寸法は、これに限定されるものではない。
【００３０】
発泡ゴム本体２１ａは、合成発泡ゴムを、シート状又はテープ状に成形したものである。発泡ゴム本体２１ａの材料である合成発泡ゴムは、シーリング材として多様な種類のものが市販されている。また、粘着材２１ｂの層を備えた製品も市販されている。所定のゴム弾性を有する合成発泡ゴムは、構造物の隙間に圧縮状態で設置されることによりシーリング効果を発揮する。また発泡工程により形成された気泡孔は、構造物の隙間に入り込んだ種子の芽や根の生長を阻害する効果を発揮する。この点において、合成発泡ゴムの気泡は、連続気泡よりも独立気泡又は半独立半連続気泡が好ましい。合成発泡ゴムとしては、例えば、エチレンプロピレンジエン(ＥＰＤＭ)発泡ゴム、ウレタン発泡ゴム、シリコーン発泡ゴム等がある。本発明における発泡ゴムシール部材は、屋外構造物に使用されるので、耐候性、耐寒性、耐熱性、耐薬品性に優れたものが好ましい。
【００３１】
なお、図１の第１実施形態における発泡ゴムシール部材の断面構造、材料及び作用効果についての説明は、以下の他の実施形態における発泡ゴムシール部材についても同様である。
【００３２】
図２は、本発明による縁石の防草構造の第２実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図である。
【００３３】
第２実施形態における縁石の防草構造１Ｂは、縁石１０と、縁石１０の一方の小口に貼着された発泡ゴムシール部材２３とを備えている。縁石１０の形状は、図１に示した第１実施形態と同じである。
【００３４】
発泡ゴムシール部材２３は粘着材の層を備えており、一方の小口１１を覆うように貼着されている。発泡ゴムシール部材２３の外郭形状は、小口１１の外郭形状とほぼ一致しているが、縁石の下面１５に形成された凹部の部分を覆わないように考慮されている。小口１１に貼着する発泡ゴムシール部材２３の厚さは、例えば１５〜２５mmであるがこれに限定されない。後述する他の実施形態において小口に貼着される発泡ゴムシール部材についても同様である。
【００３５】
縁石１０の一方の小口に貼着された発泡ゴムシール部材２３は、隣り合う２つの縁石１０の間の目地材の役割を果たす。従って、この場合は従来のモルタルによる目地材は不要となる。
【００３６】
図３は、本発明による縁石の防草構造の第３実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図である。
【００３７】
第３実施形態における縁石の防草構造１Ｃは、縁石１０と、縁石１０の両方の側面１２、１３に貼着された発泡ゴムシール部材２１、２２と、縁石１０の一方の小口１１に貼着された発泡ゴムシール部材２３と、を備えている。縁石１０の形状は、図１に示した第１実施形態と同じである。
【００３８】
第３実施形態は、図１の第１実施形態と図２の第２実施形態を組み合わせた形態である。この形態では、縁石と舗装の間、及び、縁石と縁石の間のいずれの隙間にも発泡ゴムシール部材を設置しているため、最も高い防草効果が得られる。
【００３９】
図４（ａ）〜（ｄ）は、図３に示した第３実施形態の防草構造の施工方法の一例の各工程を概略的に示した図である。
【００４０】
図４（ａ）は、縁石１０を設置する前の工程である。縁石１０の一方の小口１１の面を覆うように所定の厚さをもつ発泡ゴムシール部材２３を貼着する。小口１１に貼着する発泡ゴムシール部材は、比較的大きい貼着面を有するので、設置前に貼着しても、その後の運搬過程で剥がれるおそれが少ない。従って、設置前に貼着しておくことが作業効率がよい。
【００４１】
図４（ｂ）は、縁石１０を設置する工程である。公知の縁石設置方法の通りに施工する。適宜の基礎材料５１を敷設し、基礎コンクリート５２を造成した後、敷モルタル５３を敷設する。その上に縁石１０を設置する。縁石１０を設置する際には、小口の発泡ゴムシール部材２３が、隣り合う縁石１０の間で若干圧縮された状態になるように設置する。
【００４２】
図４（ｃ）は、縁石１０の両方の側面１２、１３に発泡ゴムシール部材２１、２２をそれぞれ貼着する工程である。車道舗装側の側面１２については下端近傍に発泡ゴムシール部材２１を貼着し、歩道舗装側の側面１３については上端近傍に発泡ゴムシール部材２２を貼着する。発泡ゴムシール部材２１、２２は貼着面が細長いため、縁石１０の設置前に予め貼着しておくと剥がれるおそれがある。従って、発泡ゴムシール部材２１、２２は、縁石１０の設置後に貼着することが好ましい。これにより縁石の防草構造１Ｃが完成する。
【００４３】
図４（ｄ）は、車道舗装５４及び歩道舗装５５を施工する工程である。車道舗装５４の面は、発泡ゴムシール部材２１の上端よりやや上に位置する。歩道舗装５５の面は、縁石１０の上面と同じ高さであり、発泡ゴムシール部材２２の上端よりやや上に位置する。よって、発泡ゴムシール部材２１、２２は舗装中に埋没し、表面に露出しない。発泡ゴムシール部材２１、２２は、舗装５４、５５により縁石１０に押し付けられ、若干圧縮された状態で維持される。
【００４４】
各発泡ゴムシール部材２１、２２、２３が圧縮状態で設置されることによりシール効果を発揮する。
【００４５】
なお、図４では第３実施形態の施工方法を説明したが、第１実施形態の施工方法の場合は、図４（ａ）の工程を省略すればよく、また、第２実施形態の施工方法の場合は、図４（ｃ）の工程を省略すればよい。
【００４６】
図５は、本発明による縁石の防草構造の第４実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図である。
【００４７】
第４実施形態における縁石の防草構造１Ｄは、縁石１１０と、縁石１１０に貼着された発泡ゴムシール部材１２１、１２２とを備えている。縁石１１０は、両端に小口１１１を有し長手方向に延在する。ここでは小口１１１を縁石の正面とする。縁石１１０の上面１１４は平坦であり、下面１１５には長手方向に沿った溝状の凹部が形成されている。
【００４８】
長手方向に沿って延在する両方の側面１１２、１１３は、下方に向かって縁石が幅広となるように同じ角度の傾斜面を有し、下端近傍にのみ垂直面を有する。縁石１１０は、左右対称形状であるので、いずれか一方の側面を車道舗装側の側面とし、他方の側面を歩道舗装側の側面として用いる。傾斜面の部分は舗装により覆われず露出し、下端近傍の垂直面の部分が舗装により覆われる。この場合、発泡ゴムシール部材１２１、１２２は、側面１１２、１１３の各々の下端近傍の垂直面の部分において、長手方向に沿って縁石１１０の両端間にそれぞれ貼着されている。
【００４９】
図６は、本発明による縁石の防草構造の第５実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図である。
【００５０】
第５実施形態における縁石の防草構造１Ｅは、縁石１１０と、縁石１１０の一方の小口に貼着された発泡ゴムシール部材１２３とを備えている。縁石１１０の形状は、図５に示した第４実施形態と同じである。
【００５１】
発泡ゴムシール部材１２３は、所定の厚さを有し、一方の小口１１１を覆うように貼着されている。発泡ゴムシール部材１２３の外郭形状は、小口１１１の外郭形状とほぼ一致しているが、縁石の下面１１５に形成された凹部の部分を覆わないように考慮されている。
【００５２】
縁石１１０の一方の小口１１１に貼着された発泡ゴムシール部材１２３は、隣り合う２つの縁石１１０の間の目地材の役割を果たす。従って、この場合は従来のモルタルによる目地材は不要となる。
【００５３】
図７は、本発明による縁石の防草構造の第６実施形態を示す図であり、（ａ）は車道舗装側の側面が現れた斜視図（隣接する縁石の一部を含む）、（ｂ）は歩道舗装側の側面が現れた斜視図、（ｃ）は一方の小口を示す正面図、（ｄ）は歩道舗装側の側面図、（ｅ）は車道舗装側の側面図である。
【００５４】
第６実施形態における縁石の防草構造１Ｆは、縁石１１０と、縁石１１０の両方の側面１１２、１１３に貼着された発泡ゴムシール部材１２１、１２２と、縁石１１０の一方の小口１１１に貼着された発泡ゴムシール部材１２３と、を備えている。縁石１１０の形状は、図５に示した第４実施形態と同じである。
【００５５】
第６実施形態は、図５の第４実施形態と図６の第５実施形態を組み合わせた形態である。この形態では、縁石と舗装の間、及び、縁石と縁石の間のいずれの隙間にも発泡ゴムシール部材を設置しているため、最も高い防草効果が得られる。
【００５６】
図８（ａ）〜（ｄ）は、図７に示した第６実施形態の防草構造の施工方法の一例の各工程を概略的に示した図である。
【００５７】
図８（ａ）は、縁石１１０を設置する前の工程である。縁石１１０の一方の小口１１１の面を覆うように所定の厚さをもつ発泡ゴムシール部材１２３を貼着する。小口１１１に貼着する発泡ゴムシール部材は、比較的大きい貼着面を有するので、設置前に貼着しても、その後の運搬過程で剥がれるおそれが少ない。従って、設置前に貼着しておくことが作業効率がよい。
【００５８】
図８（ｂ）は、縁石１１０を設置する工程である。公知の縁石設置方法の通りに施工する。適宜の基礎材料５１を敷設し、基礎コンクリート５２を造成した後、敷モルタル５３を敷設する。その上に縁石１１０を設置する。縁石１１０を設置する際には、小口の発泡ゴムシール部材１２３が、隣り合う縁石１１０の間で若干圧縮された状態になるように設置する。
【００５９】
図８（ｃ）は、縁石１１０の両方の側面１１２、１１３に発泡ゴムシール部材１２１、１２２をそれぞれ貼着する工程である。両方の側面１１２、１１３において、下端近傍に発泡ゴムシール部材１２１、１２２をそれぞれ貼着する。発泡ゴムシール部材１２１、１２２は貼着面が線状で細長いため、縁石１１０の設置前に予め貼着しておくと剥がれるおそれがある。従って、発泡ゴムシール部材１２１、１２２は、縁石１１０の設置後に貼着することが好ましい。これにより縁石の防草構造１Ｆが完成する。
【００６０】
図８（ｄ）は、車道舗装５４及び歩道舗装５５を施工する工程である。車道舗装５４の面及び歩道舗装５５の各面は、発泡ゴムシール部材１２１、１２２の上端よりやや上に位置する。よって、発泡ゴムシール部材１２１、１２２は舗装中に埋没し、表面に露出しない。発泡ゴムシール部材１２１、１２２は、舗装５４、５５により縁石１１０に押し付けられ、若干圧縮された状態で維持される。
【００６１】
各発泡ゴムシール部材１２１、１２２、１２３が圧縮状態で設置されることによりシール効果を発揮する。
【００６２】
なお、図８では第６実施形態の施工方法を説明したが、第４実施形態の施工方法の場合は、図８（ａ）の工程を省略すればよく、また、第５実施形態の施工方法の場合は、図８（ｃ）の工程を省略すればよい。
【００６３】
図９（ａ）（ｂ）は、縁石の設置方法を具体的に説明する概略側面図である。図１〜図４に示した縁石１０を例に説明するが、図５〜図８に示した縁石１１０についても同様である。
【００６４】
図９（ａ）に示すように右側の縁石１０Ｒが既に設置されており、その一方の小口には発泡ゴムシール部材２３が貼着されている（粘着材の層は図示を省略）。次に設置する左側の縁石１０Ｌを、縁石１０Ｒの隣に適宜の距離だけ離して置く。そして、図９（ｂ）に示すように、縁石１０Ｌを縁石１０Ｒに押し付け、発泡ゴムシール部材２３が圧縮された状態となるように縁石１０Ｌを設置する。これにより、発泡ゴムシール部材２３は十分にシール効果を発揮することができる。
【００６５】
＜施工試験＞
本発明の施工に関して次のような試験を行った。
縁石の一方の側面に長手方向に沿って発泡ゴムシール部材（EPDM発泡ゴム、厚さ２０ｍｍ）を貼着した後、縁石を所定の場所に設置し、発泡ゴムシール部材が埋没するように縁石の周囲にアスファルト舗装を敷設した。
アスファルト舗装の温度は、工場出荷時は１７４℃及び施工時は約１７０℃であり、敷設直後は１４３．３℃であった。
アスファルト舗装が常温となった後、アスファルト舗装を除去し、発泡ゴムシール部材の状態を確認したところ、熱による劣化及び損傷等は観られなかった。
この施工試験により、耐熱性を有する市販の発泡ゴムシール部材を利用して本発明を実施可能であることが確認された。
【００６６】
＜防草試験＞
本発明の防草効果に関して次のような試験を行った。
一方の小口に発泡ゴムシール部材（EPDM発泡ゴム、厚さ２０ｍｍ）を貼着した６本の縁石を、図９に示した手順に従って直線状に設置し、放置した。設置場所は、屋外であり、風通しよく、土・砂・水・光が遮られない場所とした。
設置から４年経過後に観察したところ、縁石と縁石の間に草の発芽及び生長は観られなかった。
その後、縁石の表面に、敢えて草の種子を播き肥料を与えて経過を観察したところ、３ヶ月後、１箇所の縁石と縁石の間の表面に草の発芽が観られた。しかし、発芽した草の根の生長は表面で止まり縁石と縁石の間には侵入せず、草は枯れて死滅した。発泡ゴムシール部材の気泡孔のためと確信した。
この防草試験により、本発明による防草効果が確認された。
【符号の説明】
【００６７】
１Ａ、１Ｂ、１Ｃ、１Ｄ、１Ｅ、１Ｆ  縁石の防草構造
１０、１１０  縁石
１１、１１１  小口
１２、１１２  第１側面
１３、１１３  第２側面
１４、１１４  上面
１５、１１５  下面
２１、２２、２３、１２１、１２２、１２３  発泡ゴムシール部材
２１ａ  発泡ゴム本体
２１ｂ  粘着材
５１  基礎材料
５２  基礎コンクリート
５３  敷モルタル
５４  車道舗装
５５  歩道舗装
【図１】
2014177828.tif 000003
【図２】
2014177828.tif 000004
【図３】
2014177828.tif 000005
【図４】
2014177828.tif 000006
【図５】
2014177828.tif 000007
【図６】
2014177828.tif 000008
【図７】
2014177828.tif 000009
【図８】
2014177828.tif 000010
【図９】
2014177828.tif 000011